(57)【要約】【課題】  圧縮機の起動時におけるトルク推定を精度よく行なうことが可能な圧縮機のトルク推定装置を提供する。【解決手段】  車両に搭載された駆動源により駆動される圧縮機によって冷媒が循環される冷凍サイクルを備えたシステムに利用可能な圧縮機のトルク推定装置であって、圧縮器が実際に稼動を開始したことを判定する起動判定手段と、この起動判定手段により圧縮機が稼動を開始したと判定されてからの経過時間に基づいて圧縮機のトルクを推定するトルク推定手段とを有する。起動判定手段は、冷凍サイクルの圧力変化に基づき圧縮機の起動を判定し、また、トルク推定手段は、前記経過時間に基づき算出された冷媒循環量を加味して圧縮機のトルクを推定する。【選択図】        図３
2006240514.tif 000002
【特許請求の範囲】
【請求項１】
車両に搭載された駆動源により駆動される圧縮機によって冷媒が循環される冷凍サイクルを備えたシステムに利用可能な圧縮機のトルク推定装置であって、
前記圧縮器が実際に稼動を開始したことを判定する起動判定手段と、
前記起動判定手段により前記圧縮機が稼動を開始したと判定されてからの経過時間に基づき、前記圧縮機のトルクを推定するトルク推定手段と
を有することを特徴とする圧縮機のトルク推定装置。
【請求項２】
前記起動判定手段は、
前記冷凍サイクルの圧力の変化に基づき、前記圧縮機の起動を判定することを特徴とする請求項１に記載の圧縮機のトルク推定装置。
【請求項３】
前記冷凍サイクルの圧力の変化は、
高圧側冷媒の圧力の変化である事を特徴とする請求項２に記載の圧縮機のトルク推定装置。
【請求項４】
前記トルク推定手段は、
前記経過時間に基づき、前記圧縮機の起動初期の冷媒循環量を算出する起動初期冷媒循環量推定手段を備え、
前記起動初期冷媒循環量推定手段により算出された起動初期の冷媒循環量を加味して前
記圧縮機のトルクを推定する事を特徴とする
請求項１乃至３のいずれかに記載のトルク推定装置。
【請求項５】
前記冷凍サイクルの熱収支バランスに基づく冷媒循環量の関係式を用いて前記圧縮機の定常時の冷媒循環量を算出する熱収支バランス冷媒循環量推定手段を設け、
前記トルク推定手段は、前記熱収支バランス冷媒循環量推定手段で得られた定常時の冷媒循環量に、前記起動初期冷媒循環量算出手段で算出された前記圧縮機の起動初期の冷媒循環量を加算した値に基づき前記圧縮機のトルクを推定するものであることを特徴とする請求項４記載の圧縮機のトルク推定装置。
【請求項６】
前記起動初期冷媒循環量推定手段は、
前記圧縮機の最大吐出容量及び
前記圧縮機が起動してから最大トルクに達するまでの時間と前記経過時間の比
に基づいて算出される最大容積時の初期冷媒循環流量に、
前記圧縮機が起動してから熱収支バランスに達するまでの時間に対応した値及び
前記経過時間
に基づいて算出される減衰項を乗じて前記圧縮機の起動初期の冷媒循環量を算出するものである請求項４又は５記載の圧縮機のトルク推定装置。
【発明の詳細な説明】
【技術分野】
【０００１】
この発明は、車両に搭載される冷凍サイクルに用いられる圧縮機のトルク推定技術に関するものである。
【背景技術】
【０００２】
車両の燃料消費低減への要請が増加している昨今において、車載用補機で必要となるトルクをエンジンコントロールユニット（ＥＣＵ）へレポートし、このＥＣＵによりエンジンと車載用補機とが最小限必要とするトルクに見合うように燃料噴射量を制御することは、燃料消費量を低減する上で有用な制御である。このため、車載用補機の内で最も消費動力が大きいエアコン用圧縮機のトルクを既存のセンサのみで適切に推定できるようにすることは重要な課題である。
【０００３】
従来、こうした背景から、下記する特許文献１及び２に示されるような圧縮機トルクの算出技術が検討されている。
このうち、特許文献１に示される圧縮機のトルク算出装置は、圧縮機からの冷媒の吐出圧を決定するとともに、凝縮器の空気側負荷条件の変化をこの凝縮器の熱容量の変化の遅れ時間だけ遅らせて、この遅れ時間の経過時に凝縮器の熱交換能力を決定し、これら決定
された吐出圧と熱交換能力とに応じて圧縮機のトルクを演算するようにしたものである。
また、特許文献２に示されるトルク推定方法は、冷凍サイクルの熱収支バランスに基づく冷媒循環量の関係式を用いて圧縮機の熱収支バランス後の冷媒循環量を算出し、これに基づき圧縮機のトルクを推定するようにしたものである。
【０００４】
【特許文献１】特開平５−９６９３６号公報
【特許文献２】ＷＯ  ０３／０５３７２７  Ａ１
【発明の開示】
【発明が解決しようとする課題】
【０００５】
ところで、圧縮機は、エアコン起動信号（クラッチ型圧縮機においてはクラッチＯＮ時、クラッチレス型圧縮機においてはディーティ信号ＯＮ時など）が圧縮機に入力された後に若干遅れて起動する。また、圧縮機が実際に稼動し始めても、コンデンサでの熱収支がバランスするまでに時間がかかるので（コンデンサ自身の熱容量のために、冷媒がコンデンサを通過して放熱してもコンデンサを通過する空気温度はすぐに変化せず、コンデンサでの空気側加熱と冷媒側放熱量とが等しくなるまでに時間がかかるので）、この熱収支のバランスを捉えてトルク演算に利用したのでは、実際に圧縮機が仕事をしているにも拘わらず、熱収支はまだバランスしていないので、圧縮機の起動時においては実際の起動トルクが反映されない不都合がある。
【０００６】
このような観点から従来技術を見ると、特許文献１に示される技術は、凝縮器の空気側負荷条件の変化をこの凝縮器の熱容量の変化の遅れ時間だけ遅らせ、この遅れ時間の経過時に熱交換能力を決定することで圧縮機のトルクを演算しているので、圧縮機の起動時における立ち上がり時のトルクをそもそも推定することを予定していない。
また、特許文献２に示される技術においても、冷凍サイクルの熱収支バランスに基づく冷媒循環量の関係式を用いて圧縮機の熱収支バランス後の冷媒循環量を算出し、これに基づき圧縮機のトルクを推定するようにしているので、熱収支がバランスした後の定常時においては精度よく圧縮機のトルク推定が可能となるが、圧縮機の起動時における立ち上がり時においては精度よくトルク推定ができないものであった。
【０００７】
本発明は、上述した事情に鑑みてなされたものであり、圧縮機の起動時におけるトルク推定を精度よく行なうことが可能な圧縮機のトルク推定装置を提供することを主たる課題としている。
【課題を解決するための手段】
【０００８】
本発明者らは、圧縮器の起動指令が出された後に圧縮機が実際に稼動を始めてトルクが発生する時点を的確に捉えることで、この時点から熱収支バランスに依存しないガス排除モデルを採用することで圧縮機の起動初期における過渡的段階でのトルクを精度よく推定できることを見出し、本発明を完成するに至った。
【０００９】
即ち、上記課題を達成するために、本発明に係る圧縮機のトルク推定装置は、車両に搭載された駆動源により駆動される圧縮機によって冷媒が循環される冷凍サイクルを備えたシステムに利用可能な圧縮機のトルク推定装置であって、前記圧縮器が実際に稼動を開始したことを判定する起動判定手段と、前記起動判定手段により前記圧縮機が稼動を開始したと判定されてからの経過時間に基づき、前記圧縮機のトルクを推定するトルク推定手段とを有することを特徴としている（請求項１）。
【００１０】
したがって、圧縮機の起動初期においては、エアコン起動信号が圧縮機に入力されても圧縮機が実際に稼動し始めるまで遅れが生じるが、圧縮機が起動すると、起動判定手段により実際に稼動を開始したことが判定され、その時点からの経過時間に基づき圧縮機のトルクが推定されるので、圧縮機が実際に稼動を始めてトルクが発生する時点からトルクを推定することが可能となる。
【００１１】
ここで、起動判定手段は、冷凍サイクルの圧力の変化に基づき、圧縮機の起動を判定するものであってもよく（請求項２）、具体的には、冷凍サイクルの高圧側冷媒の圧力の変化に基づき、圧縮機の起動を判定するようにしてもよい（請求項３）。
このような構成によれば、圧縮機の起動により冷媒が吐出されると、冷凍サイクルの圧力が変化するので、この変化を捉えて圧縮機が起動したことを適格に検知することが可能となる。
【００１２】
また、トルク推定手段は、前記経過時間に基づき、前記圧縮機の起動初期の冷媒循環量を算出する起動初期冷媒循環量推定手段を備え、起動初期冷媒循環量推定手段により算出された起動初期の冷媒循環量を加味して前記圧縮機のトルクを推定するようにしてもよい（請求項４）。
【００１３】
さらに、圧縮機の起動初期の過渡状態から熱収支がバランスする定常状態にかけてトルク推定を連続的に行なうために、上述した圧縮機の起動初期の冷媒循環量を算出する手段に加え、冷凍サイクルの熱収支のバランスに基づく冷媒循環量の関係式を用いて前記圧縮機の熱収支バランス後の冷媒循環量を算出する熱収支バランス冷媒循環量推定手段を設け、トルク推定手段を、熱収支バランス冷媒循環量推定手段で得られた熱収支バランス後の冷媒循環量に、起動初期冷媒循環量算出手段で算出された前記圧縮機の起動初期での冷媒循環量を加算した値に基づき圧縮機のトルクを推定するようにしてもよい（請求項５）。
【００１４】
このような構成においては、熱収支バランスに基づく冷媒循環量の関係式から冷媒循環量を推定したのでは捉えることができない圧縮機の起動初期でのトルクを起動初期の冷媒循環量を利用して推定することができるので、圧縮機の起動初期から定常時にかけて精度よくトルク推定が可能となる。即ち、圧縮機の起動初期においては、主として圧縮機の冷媒循環量の関係式に基づき冷媒循環量を推定することが可能となり、圧縮機の定常時においては、主として熱収支バランスに基づく冷媒循環量の関係式に基づき冷媒循環量を推定することが可能となる。
【００１５】
前記起動初期冷媒循環量推定手段は、前記圧縮機の最大吐出容量、及び、前記圧縮機が起動してから最大トルクに達するまでの時間と前記経過時間の比に基づいて算出される最大容積時の初期冷媒循環流量に、前記圧縮機が起動してから熱収支バランスに達するまでの時間に対応した値、及び、前記経過時間に基づいて算出される減衰項を乗じて前記圧縮機の起動初期の冷媒循環量を算出するようにしてもよい（請求項６）。
具体的な起動初期の冷媒循環量（Ｇr_start）を推定する手段としては、例えば、下記の数１で表される演算式を用いてもよい。
【００１６】
【数１】
2006240514.tif 000003
【００１７】
ここで、ηvは体積効率、ｔは圧縮機が実際に起動してからの経過時間、tmaxは圧縮機が実際に起動してから最大トルクに達するまでの時間、Dispは圧縮機の最大吐出容量、Ncは圧縮機の回転速度、 Rr134a は冷媒Ｒ１３４ａのガス定数、Tsは圧縮機入口の吸込冷媒温度、T0は絶対温度（２７３．１５℃）、Cgは体積効率を調整する圧縮機のポンピングの度合い、tbalは熱収支バランスに達するまでの時間に対応する値をそれぞれ示す。
【発明の効果】
【００１８】
以上述べたように、本発明によれば、圧縮機の実際に稼動を開始した時点を例えば冷凍サイクルの冷媒圧力の変化で捉え、この時点からの圧縮機のトルクを、熱収支のバランスに依存しない圧縮機の稼動開始からの経過時間に基づき推定するようにしたので、圧縮機の起動初期のトルクを精度よく推定することが可能となる。
【発明を実施するための最良の形態】
【００１９】
以下、この発明の実施の形態を図面により説明する。
図１において、車両に搭載される空調装置の構成例が示され、この車両用空調装置は、冷媒を圧縮する圧縮機１と、この圧縮機１で圧縮された冷媒を凝縮液化する凝縮器（コンデンサ）２と、この凝縮器２によって凝縮液化された冷媒を溜めると共に気相冷媒と液相冷媒とに分離し、液相冷媒のみを下流側へ送る受液器３と、この受液器３から送られる液相冷媒を減圧して低温低圧の気液混合冷媒にする膨張装置４と、この膨張装置４から送られる低温低圧の気液混合冷媒を蒸発気化する蒸発器（エバポレータ）５とを、この順で配管接続して構成された冷凍サイクル６を有している。
【００２０】
圧縮機１は、走行用エンジン１０からの動力を受け、この走行用エンジン１０と同期して回転するもので、クラッチ付きのものであれば、起動指令信号を受けて電磁クラッチをＯＮすることにより起動し、クレッチレスタイプのものであれば、起動指令信号を受けて制御弁に印加するデューティ信号をＯＮすることにより起動される。
【００２１】
前記走行用エンジン１０は、エンジン制御ユニット（ＥＣＵ）２０によって制御されている。このＥＣＵ２０は、アクセルペダルの踏み代をエンジン吸気管路に設けられたスロットル弁の開度として検出するアクセル開度センサ２１や、車速（Ｖcar ）を検出する車速センサ２２、エンジン回転速度（Ｎeng）を検出するエンジン回転速度センサ２３、コンデンサ２を冷却するコンデンサファン７に印加される電圧（ファン電圧：Ｅfan）を検出するファン電圧センサ２４などからの信号を入力し、これらセンサの入力信号から得られた情報に基づき、また、後述する圧縮機のトルク推定値に基づき、必要トルクに見合う燃料噴射量や噴射タイミング、点火時期などを最適値に制御している。
【００２２】
また、圧縮機１を含む車両用空調装置は、エアコン制御ユニット（Ａ／Ｃ  ＣＵ）３０によって制御されている。このエアコン制御ユニット（Ａ／Ｃ  ＣＵ）３０は、凝縮器２の出口側での高圧冷媒圧力（Ｐｈ）を検出する高圧圧力センサ３１、蒸発器２の表面温度又は蒸発器５を通過した空気温度などの蒸発器５の冷媒温度に関連する温度（以下、蒸発器温度Ｔevaという）を検出する蒸発器温度センサ３２、圧縮機１の吸入圧（Ｐｓ）を検出する吸入圧センサ３３、外気温（Ｔamb ）を検出する外気温度センサ３４などの各種センサからの信号が入力されると共に、エアコンスイッチ（Ａ／Ｃスイッチ）３５や車室の目標温度を設定する温度設定器などを備えた操作パネル３６からの信号が入力され、空調装置の総合的な制御を行っている。
【００２３】
ここで、エンジン制御ユニット（ＥＣＵ）２０やエアコン制御ユニット（Ａ／Ｃ  ＣＵ）３０は、中央演算装置（ＣＰＵ）、読出専用メモリ（ＲＯＭ）、ランダムアクセスメモリ（ＲＡＭ）、入出力ポート等を備えて構成されるそれ自体公知のもので、メモリに与えられた所定のプログラムにしたがって各種入力信号を処理し、例えば、エアコン制御ユニット（Ａ／Ｃ  ＣＵ）３０において、以下に述べる手法によって圧縮機１のトルクを推定演算し、エンジン制御ユニット（ＥＣＵ）２０に対して、この演算されたトルク推定値を送信する等の処理を行なっている。
【００２４】
図２において、圧縮機１のトルク推定を行なう演算処理例がフローチャートとして示されており、以下、このフローチャートに基づいてトルク推定の演算処理例を説明する。
【００２５】
エアコン制御ユニット（Ａ／Ｃ  ＣＵ）３０は、イグニッションスイッチが投入されて冷凍サイクル６の稼動が可能となった場合にこの制御処理を行うようにしているもので、ステップ５０において、Ａ／Ｃスイッチ３５が投入される等により圧縮機１の稼動指令信号がエアコン制御ユニット３０に入力（ＯＮ）されたか否かが判定される（ステップ５０）。このステップで圧縮機１の稼動指令信号が入力（ＯＮ）されたと判定された場合には、各種信号（高圧圧力センサ３１、蒸発器温度センサ３２、吸入圧センサ３３、外気温度センサ３４などのエアコン側センサからの信号、及び、エンジン制御ユニット２０を介して入力される車速センサ２２、エンジン回転速度センサ２３、ファン電圧センサ２４などからの信号）を入力し（ステップ５２）、ステップ５４において、圧縮機１の稼動指令を受けてから実際に圧縮機１が稼動を開始する、すなわち起動する時点を検出する。
【００２６】
この圧縮機１の起動する時点の検出は、圧縮機１が起動すると、圧縮機１から吐出される冷媒によりコンデンサ２内の冷媒圧力が即座に上昇するので、この変化を捉えることによって行なわれる。
【００２７】
そして、この変化が検出された後に、タイマによる経時（ｔ）を開始し（ステップ５６）、冷凍サイクル６の冷媒循環流量の推定値を、圧縮機の吐出容量に基づく冷媒循環量の関係式を用いて演算された冷媒循環量と、冷凍サイクルの熱収支バランスに基づく冷媒循環量の関係式を用いて演算された熱収支バランス後の冷媒循環量との和として求め、これにより得られた冷媒循環量から圧縮機のトルクを推定する演算処理を行なう（ステップ５８）。
【００２８】
このステップ５８によるトルク推定演算処理は、具体的には、図３に示されるように行なわれるもので、先ず、車速（Ｖcar）とファン電圧（Ｅfan）とに基づき、コンデンサ２に入る平均風速（Ｖair ）を演算し（ステップ６０）、この平均風速からコンデンサ２に流入する空気質量流量（Ｇair ）を演算する（ステップ６２）。
【００２９】
また、高圧冷媒圧力（Ｐｈ）に基づき、コンデンサ２での冷媒の凝縮温度（Ｔcond）を算出し（ステップ６４）、この凝縮温度（Ｔcond）と外気温（Ｔamb ）との差、及び、前記空気質量流量（Ｇair ）とに基づき、コンデンサ２での熱収支をバランスさせる冷媒循環量の関係式から定常時における冷媒循環量（Ｇr_steady）を推定する（ステップ６６）。  ここで、熱収支がバランスするとは、冷媒がコンデンサ２を通過して放熱する冷媒側放熱量と、コンデンサ２を通過する空気が受ける熱量（空気側加熱量）とが等しくなることをいう。この熱収支をバランスさせる冷媒循環量の演算式のみに基づき圧縮機のトルクを推定すると、図４の一点鎖線で示されるような特性となり、圧縮機１の起動初期のトルクは反映されず、主として熱収支がバランスする定常時のトルクのみが反映されたものとなる。
【００３０】
前記高圧冷媒圧力（Ｐｈ）は、前述した如く圧縮機１の起動指令信号が入力された後に圧縮機１が起動する瞬間を検知するためにも利用される。即ち、圧縮機１の稼動指令信号が入力された後に、単位時間あたりの高圧冷媒圧力の上昇変化（ΔＰｈ／Δｔ）を検知することで起動を検知し、その時点からタイマを作動させ、圧縮機が起動してからの経過時間（ｔ）を求めるようにしている（前記ステップ５４，５６）。
【００３１】
圧縮機１の起動初期での冷媒循環量（Ｇr_start ）の算出は、下記する数２で示される圧縮機の吐出容量に基づく冷媒循環量の関係式から求められる（ステップ７０）。
【００３２】
【数２】
2006240514.tif 000004
【００３３】
ここで、ηvは体積効率、ｔは圧縮機が実際に起動してからの経過時間、ｔmaxは圧縮機が実際に起動してから最大トルクに達するまでの時間、Dispは圧縮機の最大吐出容量、Ncは圧縮機の回転速度、 Rr134a は冷媒Ｒ１３４ａのガス定数、Tsは圧縮機入口の吸込冷媒温度、T0は絶対温度（２７３．１５℃）、Cgは体積効率を調整する圧縮機のポンピングの度合い、ｔbalは熱収支バランスに達するまでの時間に対応する値をそれぞれ示す。
【００３４】
尚、体積効率ηｖは、予め各回転数における効率を実験的に求めておくことにより決めても良い。圧縮機の回転速度Ｎｃは、エンジン回転速度センサ２３によって検出されたエンジン回転速度（Ｎeng）から算出される（ステップ７２）。また、ｔmax は、圧縮機のトルクが最大トルクに達する時間に対応しており、予め実験により求めておくことによって得られたものである。ｔbal は、冷凍サイクルの熱収支がバランスする時間に対応しており、予め実験により求めておくことにによって得られたものである。
【００３５】
この数２で示される関係式は、熱収支バランスに達するまでの圧縮機１の作動に伴う過渡的な冷媒循環流量を圧縮機のガス排除モデルによって推定しているもので、圧縮機１が起動してからの経過時間（ｔ）が長くなるに伴い、算出される冷媒循環量を減衰させるようにしている。したがって、この関係式から得られた冷媒循環量のみに基づき圧縮機のトルクを演算すると、図４の波線で示されるような特性となり、主として圧縮機の起動初期でのトルクが反映されたものとなる。
【００３６】
そして、この圧縮機の吐出容量に基づく冷媒循環量の関係式で得られた起動初期の冷媒循環量（Ｇr_start）を、コンデンサ２での熱収支をバランスさせる冷媒循環量の関係式で得られた定常時の冷媒循環量（Ｇr_steady）に加算することで、この系における圧縮機１の起動初期から定常時にかけての冷媒循環量(Ｇr_est）の推定値としている（ステップ７４）。
【００３７】
また、蒸発器温度Ｔevaに基づき冷媒飽和圧力Ｐeva_satを演算し（ステップ７６）、この冷媒飽和圧力Ｐeva_satと前記蒸発器温度Ｔeva及び前記高圧冷媒圧力（Ｐｈ）とに基づき単位循環冷媒あたりの圧縮エネルギー（Ｗp ）を算出する（ステップ７８）。そして、この単位循環冷媒あたりの圧縮エネルギー（Ｗp ）と冷媒循環量（Ｇr_est ）との積、及び圧縮機の回転速度（Ｎｃ）から圧縮機動力（Ｐower）を推定し（ステップ８０）、この圧縮機動力（Ｐower）と圧縮機の回転速度（Ｎｃ）とから圧縮機のトルク（Ｔrq）を推定するようにしている（ステップ８２）。
【００３８】
したがって、熱収支バランスに基づく冷媒循環量の関係式から推定された冷媒循環量では捉えることができない圧縮機の起動初期の冷媒循環量を、圧縮機が稼動を開始したと判定されてからの経過時間（ｔ）に依存する圧縮機の吐出容量に基づく冷媒循環量の関係式から推定することで圧縮機１の起動初期でのトルクを推定することが可能となり、熱収支がバランスするにつれて後者の冷媒循環量を減衰させることで、熱収支がバランスした後は、熱収支バランスに基づく冷媒循環量の関係式からのみ冷媒循環量が推定されて圧縮機のトルクが算出されるので、演算されたトルクは、図４の実線で示されるようになり、圧縮機の稼動初期から定常時の全範囲に亘ってトルク推定が可能となり、圧縮機の起動時でのトルク推定も精度よく行なうことが可能となる。
【図面の簡単な説明】
【００３９】
【図１】図１は、圧縮機のトルク推定を行なうための車両搭載システムの概略構成図である。
【図２】図２は、図１のエアコン制御ユニット（Ａ／Ｃ  ＣＵ）によるトルク推定演算処理例を示すフローチャートである。
【図３】図３は、図２のトルク推定演算処理の具体的手法を説明するブロック図である。
【図４】図４は、図３のトルク推定演算処理により得られた推定トルク（実線）と、圧縮機の吐出容量に基づく冷媒循環量の関係式を用いて推定されたトルク（波線）と、冷凍サイクルの熱収支バランスに基づく冷媒循環量の関係式を用いて推定されたトルク（一点鎖線）の関係を示す線図である。
【符号の説明】
【００４０】
１  圧縮機
６  冷凍サイクル
２０  エンジン制御ユニット（ＥＣＵ）
３０  エアコン制御ユニット（Ａ／Ｃ  ＣＵ）
【図１】
2006240514.tif 000005
【図２】
2006240514.tif 000006
【図３】
2006240514.tif 000007
【図４】
2006240514.tif 000008